(57)【要約】【課題】コーヒーフィルターを取り出し口からスムーズにまたスピーディーに取り出すことが出来ることと共に、上蓋の開閉のたびに爽やかさと優しい使用感をいつも得ることが出来る大変便利で衛生的で、そして大量の枚数のコーヒーフィルターを保管出来る機能があり、しかも限られた狭いスペースにすっきり収まるコンパクトで美しい流線型のデザインを持つコーヒーフィルター収納容器を提供する。【解決手段】コーヒーフィルター収納容器に取り出し口１１があり、ここからコーヒーフィルター１７をスムーズに収納したり取り出したりすることが出来る。また、コーヒーフィルター１７が収納容器の中に重なった状態で収納されている時でも、つまみ口１５からコーヒーフィルター１７の鋭角部分ｄをつまんで１枚だけ取り出すことが簡単に出来る。そして、この収納容器の取り出し口１１に取っ手１３の付いた開閉自在な上蓋２を設けることを特徴とする。【選択図】　図２
2004033698.tif 000002
【特許請求の範囲】
【請求項１】
コーヒーフィルター収納容器と、前記コーヒーフィルター収納容器の取り出し口に取っ手の付いた開閉自在な上蓋と、前記コーヒーフィルター収納容器の内部に略扇形であるコーヒーフィルターを収納した時にコーヒーフィルターの半径を保持するための、且つコーヒーフィルターの鋭角部分が取り出し口の中央にある１箇所のつまみ口に来るための角度を備えた右底面と左底面によって形成された逆Ｖ字状の底面と、からなることを特徴とするコーヒーフィルター収納容器。
【請求項２】
コーヒーフィルター収納容器の内部に略扇形であるコーヒーフィルターを収納した時にコーヒーフィルターの半径を保持するための、且つコーヒーフィルターの鋭角部分が取り出し口の両端にある２箇所のつまみ口に来るための角度を備えた右底面と左底面によって形成された逆Ｖ字状の底面を特徴とする請求項１に記載のコーヒーフィルター収納容器。
【請求項３】
コーヒーフィルター収納容器の内部に略扇形であるコーヒーフィルターを収納した時にコーヒーフィルターの弧を保持するための、且つコーヒーフィルターの鋭角部分が取り出し口の両端にある２箇所のつまみ口に来るための角度を備えた右底面と左底面によって形成されたＶ字状の底面を特徴とする請求項１に記載のコーヒーフィルター収納容器。
【請求項４】
コーヒーフィルター収納容器の内部に略扇形であるコーヒーフィルターを収納した時にコーヒーフィルターの弧を保持するための、且つコーヒーフィルターの鋭角部分が取り出し口の両端にある２箇所のつまみ口に来るための角度を備えた右底面と左底面によって形成された逆Ｖ字状の底面を特徴とする請求項１に記載のコーヒーフィルター収納容器。
【請求項５】
コーヒーフィルター収納容器の内部に略扇形であるコーヒーフィルターを収納した時にコーヒーフィルターの半径を保持するための、且つコーヒーフィルターの鋭角部分が取り出し口の両端にある２箇所のつまみ口に来るための平面状の底面を特徴とする請求項１に記載のコーヒーフィルター収納容器。
【請求項６】
コーヒーフィルター収納容器の外側に持ち運びのための柄と、前記柄の上部に開閉のために回転を可能にする連結部分を備えた取っ手の付いた上蓋と、からなることを特徴とする請求項１〜５に記載のコーヒーフィルター収納容器。
【発明の詳細な説明】
【０００１】
【発明の属する技術分野】
本発明は、コーヒーフィルターを衛生的に収納することと同時に、収納容器に設けたつまみ口からコーヒーフィルターの鋭角部分をつまんでスムーズに１枚取り出すことが出来るコーヒーフィルター収納容器に関するものである。
【０００２】
【従来の技術】
一般的に、コーヒーフィルターは購入した際の合成樹脂のパッケージや紙箱の中に入れたままで収納していた。また、保管や衛生面から海苔やお茶の空き缶やあるいはクッキーの空き缶などを収納容器の代用品として使用してきた。現在、コーヒーフィルター収納容器はほとんど市販されておらず量販店でも見かけることは稀ではあるが、従来のコーヒーフィルター収納容器はどれも、コーヒーフィルターの弧の部分を上にして収納する扇形の形状を生かしたデザインが一般的である。また、取り出し口の上部に上蓋を設けたタイプのものもあり、この取り出し口から弧の部分をつまんでコーヒーフィルターを取り出していた。例えば、公開特許公報「特開平１０−６６６４０号」に記載されているコーヒーフィルター収納容器がある。
【０００３】
【発明が解決しようとする課題】
コーヒーフィルターは、一般に家庭や喫茶店あるいは職場において毎日大量に現在使用されている。しかし、このコーヒーフィルターを保管するためコーヒーフィルター収納容器がほとんど市販されていないため、大抵購入した際の合成樹脂のパッケージや紙箱の中に入れたままで収納せざるをえず毎回の使用に大変不便であった。また、コーヒーフィルター特有の略扇形の形状のために家庭用品、とりわけ台所用品の中にぴったりと適したコーヒーフィルター収納容器が見当たらないこともあって、大変不便な状況が続いていても合成樹脂のパッケージや紙箱の中に入れたままで仕方なく使用しなければならなかった。
【０００４】
そして、合成樹脂のパッケージや紙箱の中に入れたままの収納方法では、家族ばかりか友人たちとコーヒーを楽しむ時でも見苦しいものでありさらに不衛生な状態に不快感を覚えてしまうものであった。また、リラックスしてコーヒータイムを楽しもうとする時にいつもスムーズにコーヒーフィルターを取り出すことが出来ないため、コーヒーを入れるたびに心のどこかで爽快感を味わうことが出来ずに不満を募らせていた。
【０００５】
さらに、このような収納方法ではコーヒーフィルターの取り出しが大変煩わしいことに加えて、ほこりや虫などが入り易く衛生的に問題があった。また、コーヒーフィルターには吸湿性があるためにどうしても室内の湿度の影響を受け易く、高温多湿の気候のもとでは保管が一層難しかった。そのため、比較的湿度の影響の少ない食器棚や茶箪笥の引出しの中に保管されることが多かった。しかし、コーヒーフィルターがその中の臭いを吸収してしまい、かえってコーヒーの風味や香りを損なう状況を招くことになった。特に、コーヒーの味にこだわる人々が多い現在コーヒーフィルターに対する関心も非常に高くなっている。
【０００６】
そして、これらの状況を解決するためにこれまで様々なコーヒーフィルターの収納方法が考えられ、例えば海苔やお茶の空き缶やあるいはクッキーの空き缶などを再利用してコーヒーフィルター収納容器の代用品として各家庭で用いられてきた。しかし、いざ利用してみると思ったより少ない枚数しか空き缶の中に入らないばかりか、缶の内部ではコーヒーフィルターを湾曲した状態で保管することになり実質的には何も解決されていなかった。
【０００７】
また、コーヒーフィルター収納容器としての空き缶の蓋の開けにくさに加えて保管されているコーヒーフィルターの枚数を外部から把握できないために、ストックを補充する時期が判断しにくく突然のコーヒーフィルター切れを招くことがしばしばあった。さらに、機能的でない上にかさばる空き缶の見映えも良いものではなかった。特に家庭や職場で、空き缶をコーヒーフィルター収納容器として使っていることを知らない者にとってはコーヒーフィルターを見つけられないばかりかコーヒーを飲むことが出来ないこともあり、そのために不満を抱いたり苛立ちを覚えることもあった。
【０００８】
現在コーヒーフィルター収納容器はほとんど市販されておらず、量販店でも見かけることは稀である。数は少ないが従来のコーヒーフィルター収納容器はコーヒーフィルターの弧の部分を上にして、そして底辺を下にしたコーヒーフィルターの略扇形の形状を生かしたデザインが一般的である。
【０００９】
また、このコーヒーフィルター収納容器では、上部にある取り出し口の大きさがコーヒーフィルターの最も寸法の長い分だけ必要なためどうしても上蓋が大きくならざるをえなかった。さらに、このコーヒーフィルター収納容器は扇形の上部ほど頭でっかちで肥大化した形状であるため、スマートさに欠けた印象を与えると共にテーブルや戸棚に置いてもかさばって邪魔な存在になっていた。コーヒーフィルター収納容器が台所用品として一般に普及しなかった原因は、美しいデザインやコンパクトな形状に欠けるこれらの点にあったのかも知れない。
【００１０】
また、コーヒーフィルターの弧の部分を上にした従来のコーヒーフィルター収納容器では、扇形の上部にある取り出し口やつまみ口からコーヒーフィルターを取り出しにくいという不満があった。特に、重なり合ったコーヒーフィルターの弧の中央付近を１枚だけつまんでスムーズに取り出すことが難しく、どうしても一緒に何枚か取り出してしまう不便さがあった。最近ではこの点を改善するためコーヒーフィルターの弧に半円形の小さなつまみ部分を設けているものもある。
【００１１】
またさらに、従来のコーヒーフィルター収納容器には上蓋がないタイプのものが多く室内の湿度の影響を受けやすい上に、比較的湿度の影響の少ない食器棚や茶箪笥の引出しの中に保管されるうちにかえってその中の臭いを吸収してしまい、コーヒーの風味や香りを損なう状態になることが多かった。しかも、上蓋がないためコーヒーフィルターにはほこりが溜まったりカビが付着したりする一方、ハエがとまったり収納容器の中にゴキブリなどの虫が入ることも多く、むしろ購入した際の合成樹脂のパッケージや紙箱の中に入れたままで収納するよりも不衛生な状態になっていた。
【００１２】
現在、どの家庭でもコーヒーフィルターが１００〜１２０枚入った徳用タイプを購入することが一般的であるため、これらの大量枚数を収納すると同時に毎日頻繁に取り出すうえで使い易い機能的なコーヒーフィルター収納容器が求められていた。とりわけ、喫茶店や職場の給湯室すなわちオフィスキッチンのシンクまわりでは、ほこりや調理油などの他に水に濡れることを心配すると共に、限られた狭いスペースやどうしても色々な台所用品によって狭くなりがちな台所でもすっきり収まるコンパクトなコーヒーフィルター収納容器が必要不可欠であった。
【００１３】
本発明は、誰もがコーヒーフィルターをスムーズにまたスピーディーに取り出すことが出来ることと共に、爽やかさと優しい使用感をいつも得ることが可能でであり、しかも場所をとらないコンパクトで美しいデザインの大変便利なコーヒーフィルター収納容器を提供することを目的としている。
【００１４】
【課題を解決するための手段】
コーヒーフィルター収納容器に取り出し口があり、ここからコーヒーフィルターをスピーディーに収納することが出来る。そして、取り出し口の中央部分にあるつまみ口からコーヒーフィルターの鋭角部分を１枚つまんでスムーズに取り出すことが出来る。また、取り出し口に取っ手の付いた開閉自在な上蓋を設けた。本発明は、以上のような構成からなるコーヒーフィルター収納容器である。
【００１５】
【発明の実施の形態】
以下、図面を参照して本発明の実施の形態について説明する。図１（Ａ）は、第１の発明に係わる第１実施例を示す正面５から見た斜視図であり、図１（Ｂ）は第１の発明に係わる第１実施例を示す正面５から見た上蓋２を開いた状態の一部破断斜視図である。図１（Ｂ）に示したように上蓋２の正面５にある取っ手１３と背面６にある取っ手１３（但し、背面６の取っ手１３は見えない）の２箇所をつまんで上蓋２を開閉することが出来る上、机の上などに安定して置くことが出来る。なお、上蓋２の大きさやその形状に関しては数々の変形が可能である。
【００１６】
そして、図１（Ｂ）では収納容器の内部１２に略扇形であるコーヒーフィルター１７を収納した時に、コーヒーフィルター１７の半径ｂを保持するための逆Ｖ字状の底面がある。この逆Ｖ字状の底面は、コーヒーフィルター１７の鋭角部分ｄが取り出し口１１の中央にある１箇所のつまみ口１５に来るための角度を備えた右底面７と左底面８によって形成されている。
【００１７】
また、本体１にある取り出し口１１の開口部が二重構造（但し、正面５と右側面３だけ見える）のため、上蓋２でこの取り出し口１１を閉じると隙間なくぴったりと密閉状態になる。これにより、収納容器の内部１２の気密性が高い状態になり、一層衛生的にコーヒーフィルター１７を保管することが出来る。そして、取り出し口１１の中央の１箇所にはコーヒーフィルター１７の鋭角部分ｄをつまんで取り出すためのつまみ口１５がある。なお、つまみ口１５の大きさやその形状に関しては数々の変形が可能である。
【００１８】
図２（Ａ）は、第１の発明に係わる第２実施例を示す正面５から見た上蓋２を開いた状態の一部破断斜視図であり、コーヒーフィルター１７の裏面ｇと表面ｆを重ね合わせた状態で収納容器の内部１２に収納している。図２（Ｂ）は、第１の発明に係わる第１実施例を示す正面５から見た正面図である。図２（Ａ）に示したようにコーヒーフィルター１７が収納容器の内部１２に収納された時、上側には弧ａが右上向きでチャック止め部分ｈが左上向きの裏面ｇがあり、一方下側には弧ａが左上向きでチャック止め部分ｈが右上向き（但し、チャック止め部分ｈは裏面ｇの下側にあり見えない）の表面ｆがある。
【００１９】
図２（Ａ）ではチャック止め部分ｈがある鋭角部分ｄ（但し、表面ｆのチャック止め部分ｈは裏面ｇの下側にあり見えない）が取り出し口１１の中央にある１箇所のつまみ口１５に来ているが、チャック止め部分ｈがない鋭角部分ｄが取り出し口１１の中央にある１箇所のつまみ口１５に来ても同様に収納容器の内部１２に収納可能である。そのため、右底面７と左底面８によって形成された逆Ｖ字状の底面がコーヒーフィルター１７の裏面ｇや表面ｆの半径ｂを保持する時、コーヒーフィルター１７の鋭角部分ｄが取り出し口１１の中央にある１箇所のつまみ口１５に来ることが出来る。
【００２０】
また、図２（Ａ）に示したようにさらに本体１の安定性を一層高めるため脚部２０の接地面を平らにしたり大きくすることも出来るが、その形状に関しては数々の変形が可能である。またさらに、収納容器の内部１２を二分割する仕切り１９を設けてコーヒーフィルター１７が内部１２に倒れ込んで偏ることを防ぐことが出来る。なお、この仕切り１９を複数枚にして収納容器の内部１２をさらに分割することも可能である。
【００２１】
図３（Ａ）は、コーヒーフィルター１７が収納容器の内部１２に収納された時（収納容器は省略）、コーヒーフィルター１７の表面ｆと裏面ｇを重ね合わせた状態を示している。また、図３（Ｂ）はコーヒーフィルター１７が収納容器の内部１２に収納された時（収納容器は省略）、コーヒーフィルター１７の裏面ｇと表面ｆを重ね合わせた状態を示している。そして、図３（Ａ）に示したようにコーヒーフィルター１７が収納容器の内部１２に収納された時、上側には弧ａが左上向きでチャック止め部分ｈが右上向きの表面ｆがあり、一方下側には弧ａが右上向きでチャック止め部分ｈが左上向き（但し、チャック止め部分ｈは表面ｆの下側にあり見えない）の裏面ｇがある。それで、コーヒーフィルター１７が収納容器の内部１２に収納された時、つまみ口１５の付近に来るコーヒーフィルター１７の最上部にはチャック止め部分ｈがある鋭角部分ｄが来ることになる。
【００２２】
また、図３（Ｂ）に示したようにコーヒーフィルター１７が収納容器の内部１２に収納された時、上側には弧ａが左上向きでチャック止め部分ｈが右下向きの裏面ｇがあり、一方下側には弧ａが右上向きでチャック止め部分ｈが左下向き（但し、チャック止め部分ｈは裏面ｇの下側にあり一部見えない）の表面ｆがある。それで、コーヒーフィルター１７が収納容器の内部１２に収納された時、つまみ口１５の付近に来るコーヒーフィルター１７の最上部にはチャック止め部分ｈがない鋭角部分ｄが来ることになる。図３（Ａ）と図３（Ｂ）に示したどちらの状態でも収納容器の内部１２にコーヒーフィルター１７を収納可能である。
【００２３】
図４は、従来の収納容器ｉを正面５から見た一部破断斜視図（なお、従来の上蓋ｊを開いた状態）である。図４に示したようにこの従来の収納容器ｉはコーヒーフィルター１７の弧ａの部分を上にして底辺ｃの部分を下にした収納方法を採用しているため、コーヒーフィルター１７の形に沿った略扇形のデザインになることが一般的である。特に、この従来の収納容器ｉではコーヒーフィルター１７を取り出す時、つまみにくい弧ａの部分しか使えないばかりか、最もつまみ出しやすい左右二箇所の鋭角部分ｄをつまむことが出来ない構造になっている。また、この従来の収納容器ｉの開口部やこれを覆う従来の上蓋ｊの大きさがどうしても大きくなり、そのうえ収納容器の安定性のため底面積が大きくならざるを得なかった。
【００２４】
図５は、第１の発明に係わる第３実施例を示す正面５から見た上蓋２を開いた状態の一部破断斜視図である。図４に示したように右底面７を左側面４まで延長して内部補助面１６を作ることによって、弧ａが右上向きでチャック止め部分ｈが左上向きで裏面ｇのコーヒーフィルター１７を収納することが出来る。また、弧ａが右上向きでチャック止め部分ｈが左下向きで表面ｆのコーヒーフィルター１７を収納することも出来る。図２（Ａ）では収納容器の内部１２を二分割する仕切り１９を設けてコーヒーフィルター１７が内部１２に倒れ込んで偏ることを防いでいるが、図５では収納容器の内部１２を二分割する仕切り１９を設けていない。
【００２５】
そして、図５に示したように本体３１の安定性を一層高めるため脚部３０の接地面を平らにしたり、さらに脚部３０の正面５（但し、背面６も同様であるが見えない）に本来ある逆Ｖ字状のスペースをなくして平面化したデザインにすることも出来るが、その形状に関しては数々の変形が可能である。なお、図５と同様に左底面８を右側面３まで延長して内部補助面１６を作ることによって、弧ａが左上向きでチャック止め部分ｈが右上向きで表面ｆのコーヒーフィルター１７を収納することが出来る。また、弧ａが左上向きでチャック止め部分ｈが右下向きで裏面ｇのコーヒーフィルター１７を収納することも出来る。
【００２６】
図６（Ａ）は、第１の発明に係わる第４実施例を示す正面５から見た正面図と、図６（Ｂ）は、第１の発明に係わる第４実施例を示す正面５から見た一部破断正面図である。そして、図６（Ｃ）は、第１の発明に係わる第５実施例を示す正面５から見た一部破断正面図である。
【００２７】
図６（Ａ）に示したように安定性を一層高めるため、図１（Ａ）にある逆Ｖ字状の脚部１０を変形して脚部４０のように接地面を平らにすることも可能である。この時、本来の上蓋２の機能はそのままであるが、脚部４０にある上蓋２の形状はデザイン面だけを採用しているため開閉の機能はない。またさらに、脚部４０の正面５（但し、背面６も同様であるが見えない）にある上蓋２のデザインをなくして平面化した形状にすることも出来るが、その形状に関しては数々の変形が可能である。そして、図６（Ａ）にある収納容器の内部１２にはコーヒーフィルター１７を図３（Ａ）に示した状態の他に図３（Ｂ）に示した状態でも収納可能である。また、図６（Ｂ）に示したように収納容器の内部１２にはコーヒーフィルター１７を図３（Ａ）と同じように収納した状態である。
【００２８】
図６（Ｃ）に示したように左底面８を右側面３まで延長して内部補助面２６を作ることによって、弧ａが左上向きでチャック止め部分ｈが右上向きで表面ｆのコーヒーフィルター１７を収納することが出来る。また、弧ａが左上向きでチャック止め部分ｈが右下向きで裏面ｇのコーヒーフィルター１７を収納することも出来る。なお、図６（Ｃ）と同様に右底面７を左側面４まで延長して内部補助面２６を作ることも可能である。
【００２９】
また、収納容器にある取り出し口１１の開口部では、図２（Ａ）と図５に示したように二重構造（但し、両方とも一部破断斜視図のため右側面３だけ見える）になっている。しかし、図６（Ｂ）と図６（Ｃ）に示したように取り出し口１１の開口部は正面５と背面６の箇所では二重構造（但し、両方とも図では見えない）であるが、右側面３と左側面４の箇所では二重構造にはなっていない。なお、これ以降の図に関しては図６（Ｂ）と図６（Ｃ）と同様に取り出し口１１の開口部は右側面３と左側面４では二重構造にはなっていないが、収納容器の内部１２の気密性を高めて一層衛生的にコーヒーフィルター１７を保管するために二重構造も可能であり、その形状や大きさに関しては数々の変形が可能である。
【００３０】
図７（Ａ）は、第２の発明に係わる第１実施例を示す正面５から見た正面図である。そして図７（Ｂ）は、第２の発明に係わる第２実施例を示す正面５から見た上蓋３２を開いた状態の一部破断正面図である。また図７（Ｃ）は、第２の発明に係わる第３実施例を示す正面５から見た上蓋３２を開いた状態の一部破断正面図である。図７（Ａ）に示したように安定性を一層高めるため脚部５０の接地面を平らにすることも可能である。また、脚部５０の正面５（但し、背面６も同様であるが見えない）に本来ある逆Ｖ字状のスペースをなくして平面化した形状にすることが出来るが、その形状に関しては数々の変形が可能である。
【００３１】
図７（Ｂ）に示したようにコーヒーフィルター１７が収納容器の内部１２に収納された時、上側には弧ａが右向きでチャック止め部分ｈが左上向きの裏面ｇがあり、一方下側には弧ａが左向きでチャック止め部分ｈが右上向き（但し、チャック止め部分ｈは裏面ｇの下側にあり一部見えない）の表面ｆがある。
【００３２】
図７（Ｂ）ではチャック止め部分ｈがある鋭角部分ｄが２箇所のつまみ口２５に来ているが、チャック止め部分ｈがない鋭角部分ｄが２箇所のつまみ口２５に来ても同様に収納容器の内部１２に収納可能である。そのため、右底面７と左底面８によって形成された逆Ｖ字状の底面がコーヒーフィルター１７の裏面ｇや表面ｆの半径ｂを保持する時、コーヒーフィルター１７の鋭角部分ｄが取り出し口１１の両端にある２箇所のつまみ口２５に来ることが出来る。なお、この２箇所のつまみ口の大きさやその形状に関しては数々の変形が可能である。
【００３３】
また、図７（Ｂ）に示したように脚部６０にある上蓋３２の形状（但し、一部破断正面図のため一部だけ見える）はデザイン面だけを採用しているため開閉の機能はない。またさらに、本来の上蓋３２に本体７１の一部を合わせた形状にすることが出来るが、その形状に関しては数々の変形が可能である。そして、図７（Ｃ）に示したように左底面８を右側面３まで延長して内部補助面３６を作ることによって、弧ａが左向きでチャック止め部分ｈが右上向きで表面ｆのコーヒーフィルター１７を収納することが出来る。また、弧ａが左向きでチャック止め部分ｈが右下向きで裏面ｇのコーヒーフィルター１７を収納することも出来る。なお、図７（Ｃ）と同様に右底面７を左側面４まで延長して内部補助面３６を作ることも可能である。
【００３４】
図８（Ａ）は、第３の発明に係わる第１実施例を示す正面５から見た上蓋４２を開いた状態の一部破断正面図である。そして図８（Ｂ）は、第３の発明に係わる第２実施例を示す正面５から見た正面図である。また図８（Ｃ）は第３の発明に係わる第３実施例を示す正面５から見た上蓋６２を開いた状態の一部破断正面図である。図８（Ａ）に示したようにコーヒーフィルター１７が収納容器の内部１２に収納された時、上側には弧ａが右下向きでチャック止め部分ｈが左上向きの裏面ｇがあり、一方下側には弧ａが左下向きでチャック止め部分ｈが右上向き（但し、チャック止め部分ｈは裏面ｇの下側にあり一部見えない）の表面ｆがある。
【００３５】
図８（Ａ）ではチャック止め部分ｈがある鋭角部分ｄが２箇所のつまみ口３５に来ているが、チャック止め部分ｈがない鋭角部分ｄが２箇所のつまみ口３５に来ても同様に収納容器の内部１２に収納可能である。そのため、右底面７と左底面８によって形成されたＶ字状の底面がコーヒーフィルター１７の裏面ｇや表面ｆの弧ａを保持する時、コーヒーフィルター１７の鋭角部分ｄが取り出し口１１の両端にある２箇所のつまみ口３５に来ることが出来る。なお、この２箇所のつまみ口３５の大きさやその形状に関しては数々の変形が可能である。そして、図８（Ａ）に示したように本来の上蓋４２に本体９１の一部を合わせた形状にすることが出来るが、その形状に関しては数々の変形が可能である。
【００３６】
また、図８（Ｂ）に示したように本来の上蓋５２の機能はそのままであるが、脚部７０にある上蓋５２の形状はデザイン面だけを採用しているため開閉の機能はない。またさらに、脚部７０の正面５（但し、背面６も同様であるが見えない）にある上蓋５２のデザインをなくして平面化した形状にすることも出来るが、その形状に関しては数々の変形が可能である。なお、図８（Ａ）の脚部７０の上蓋４２のデザイン（但し、一部破断正面図のため見えない）は本来の上蓋４２のデザインと同様である。また、収納容器の安定性を図るため脚部７０の接地面を平らにしたり、さらに新たな形状の脚部７０を設けることも出来るが、その形状に関しては数々の変形が可能である。
【００３７】
またさらに、図８（Ｃ）に示したように脚部７０にある上蓋５２の形状（但し、一部破断正面図のために見えない）はデザイン面だけを採用して、上蓋５２の代わりに新たな上蓋６２を用いることが出来るが、その形状に関しては数々の変形が可能である。そして、上蓋６２にある取っ手１３の他に上蓋６２の上部に新たな取っ手３３を設けることが出来るが、その数や位置そして形状に関しても数々の変形が可能である。
【００３８】
図９（Ａ）は、第２の発明に係わる第４実施例を示す正面５から見た上蓋７２を開いた状態の一部破断正面図である。そして図９（Ｂ）は、第２の発明に係わる第５実施例を示す正面５から見た上蓋７２を開いた状態の一部破断正面図である。また図９（Ｃ）は、第２の発明に係わる第６実施例を示す正面５から見た上蓋７２を開いた状態の一部破断正面図である。図９（Ａ）に示したようにコーヒーフィルター１７が収納容器の内部１２に収納された時、上側には弧ａが左上向きでチャック止め部分ｈが右上向きの表面ｆがあり、一方下側には弧ａが右上向きでチャック止め部分ｈが左上向き（但し、チャック止め部分ｈは表面ｆの下側にあり一部見えない）の裏面ｇがある。
【００３９】
また、図９（Ａ）ではチャック止め部分ｈがある鋭角部分ｄが２箇所のつまみ口５５に来ているが、チャック止め部分ｈがない鋭角部分ｄが２箇所のつまみ口５５に来ても同様に収納容器の内部１２に収納可能である。そのため、右底面７と左底面８によって形成された逆Ｖ字状の底面がコーヒーフィルター１７の表面ｆや裏面ｇの半径ｂを保持する時、コーヒーフィルター１７の鋭角部分ｄが取り出し口１１の両端にある２箇所のつまみ口５５に来ることが出来る。なお、この２箇所のつまみ口５５の大きさやその形状に関しては数々の変形が可能である。
【００４０】
そして、図９（Ａ）に示したように本来の上蓋７２に本体１２１の一部を合わせた形状にすることが出来るが、その形状に関しては数々の変形が可能である。さらに、安定性を一層高めるため脚部８０の接地面を平らにしたり大きくすることも可能であり、その形状に関しては数々の変形が可能である。
【００４１】
また、図９（Ｂ）に示したように本来の上蓋７２の機能はそのままであるが、脚部９０にある上蓋７２の形状はデザイン面だけを採用しているため開閉の機能はない。またさらに、脚部９０の正面５（但し、背面６も同様であるが見えない）にある上蓋７２のデザインをなくして平面化した形状にすることも出来るが、その形状に関しては数々の変形が可能である。そして、図９（Ｃ）に示したように左底面８を右側面３まで延長して内部補助面４６を作ることによって、弧ａが左上向きでチャック止め部分ｈが右上向きで表面ｆのコーヒーフィルター１７を収納することが出来る。また、弧ａが左上向きでチャック止め部分ｈが右下向きで裏面ｇのコーヒーフィルター１７を収納することも出来る。なお、同様に右底面７を左側面４まで延長して内部補助面４６を作ることも可能である。
【００４２】
図１０（Ａ）は、第４の発明に係わる第１実施例を示す正面５から見た上蓋８２を開いた状態の一部破断正面図である。そして図１０（Ｂ）は、第４の発明に係わる第２実施例を示す正面５から見た上蓋８２を開いた状態の一部破断正面図である。また図１０（Ｃ）は、第４の発明に係わる第３実施例を示す正面５から見た上蓋９２を開いた状態の一部破断正面図である。図１０（Ａ）に示したようにコーヒーフィルター１７が収納容器の内部１２に収納された時、上側には弧ａが左下向きでチャック止め部分ｈが右上向きの表面ｆがあり、一方下側には弧ａが右下向きでチャック止め部分ｈが左上向き（但し、チャック止め部分ｈは表面ｆの下側にあり一部見えない）の裏面ｇがある。
【００４３】
また、図１０（Ａ）ではチャック止め部分ｈがある鋭角部分ｄが２箇所のつまみ口６５に来ているが、チャック止め部分ｈがない鋭角部分ｄが２箇所のつまみ口６５に来ても同様に収納容器の内部１２に収納可能である。そのため、右底面７と左底面８によって形成された逆Ｖ字状の底面がコーヒーフィルター１７の表面ｆや裏面ｇの弧ａを保持する時、コーヒーフィルター１７の鋭角部分ｄが取り出し口１１の両端にある２箇所のつまみ口６５に来ることが出来る。なお、この２箇所のつまみ口６５の大きさやその形状に関しては数々の変形が可能である。
【００４４】
そして、図１０（Ａ）に示したように本来の上蓋８２に本体１５１の一部を合わせた形状にすることが出来るが、その形状に関しては数々の変形が可能である。さらに、安定性を一層高めるため脚部１００の接地面を平らにしたり大きくすることも可能であり、その形状に関しては数々の変形が可能である。
【００４５】
図１０（Ｂ）に示したように本来の上蓋８２の機能はそのままであるが、脚部１１０にある上蓋８２の形状（但し、一部破断正面図のために一部見えない）はデザイン面だけを採用しているため開閉の機能はない。また、図１０（Ｃ）に示したように脚部１１０にある上蓋８２の形状（但し、一部破断正面図のために一部見えない）はデザイン面だけを採用して、上蓋８２の代わりに新たな上蓋９２を用いることが出来るが、その形状に関しては数々の変形が可能である。またさらに、脚部１１０の正面５（但し、背面６も同様であるが見えない）にある上蓋８２のデザインをなくして平面化した形状にすることも出来るが、その形状に関しては数々の変形が可能である。なお、上蓋９２にある取っ手５３の他に上蓋９２の上部に新たな取っ手６３を設けることが出来るが、その数や位置そして形状に関しても数々の変形が可能である。
【００４６】
さらに、図１０（Ｃ）に示したように右底面７を左側面４まで延長して内部補助面５６を作ることによって、弧ａが左下向きでチャック止め部分ｈが右上向きで表面ｆのコーヒーフィルター１７を収納することが出来る。さらにまた、弧ａが左下向きでチャック止め部分ｈが右向きで裏面ｇのコーヒーフィルター１７を収納することも出来る。なお、図１０（Ｃ）と同様に左底面８を右側面３まで延長して内部補助面５６を作ることも可能である。
【００４７】
図１１（Ａ）は、第５の発明に係わる第１実施例を示す正面５から見た上蓋１０２を開いた状態の一部破断正面図である。そして図１１（Ｂ）は、第５の発明に係わる第２実施例を示す正面５から見た上蓋１０２を開いた状態の一部破断正面図である。また図１１（Ｃ）は、第５の発明に係わる第３実施例を示す正面５から見た上蓋１１２を開いた状態の一部破断正面図である。図１１（Ａ）に示したようにコーヒーフィルター１７が収納容器の内部１２に収納された時、上側には弧ａが左上向きでチャック止め部分ｈが右向きの表面ｆがあり、一方下側には弧ａが右上向きでチャック止め部分ｈが左向き（但し、チャック止め部分ｈは表面ｆの下側にあり一部見えない）の裏面ｇがある。
【００４８】
図１１（Ａ）ではチャック止め部分ｈがある鋭角部分ｄが２箇所のつまみ口７５に来ているが、チャック止め部分ｈがない鋭角部分ｄが２箇所のつまみ口７５に来ても同様に収納容器の内部１２に収納可能である。そのため、平面状の底面９がコーヒーフィルター１７の表面ｆや裏面ｇの半径ｂを保持する時、コーヒーフィルター１７の鋭角部分ｄが取り出し口１１の両端にある２箇所のつまみ口７５に来ることが出来る。なお、この２箇所のつまみ口７５の大きさやその形状に関しては数々の変形が可能である。
【００４９】
図１１（Ａ）に示したように本来の上蓋１０２に本体１８１の一部を合わせた形状にすることが出来る。また、図１１（Ｂ）に示したように本来の上蓋１０２の機能はそのままであるが、脚部１３０にある上蓋１０２の形状はデザイン面だけを採用しているため開閉の機能はない。またさらに、脚部１３０の正面５（但し、背面６も同様であるが見えない）にある上蓋１０２のデザインをなくして平面化した形状にすることも出来るが、その形状に関しては数々の変形が可能である。
【００５０】
そして、図１１（Ｃ）に示したように本来の上蓋１０２の代わりに新たな上蓋１１２を用いることが出来る。そしてまた、上蓋１１２にある取っ手７３の他に上蓋１１２の上部に新たな取っ手８３を設けることが出来るが、その数や位置そして形状に関しても数々の変形が可能である。さらに、安定性を一層高めるため図１１（Ａ）〜図１１（Ｃ）にある脚部１２０と１３０の接地面をさらに大きくすることも可能であり、その形状に関しては数々の変形が可能である。
【００５１】
また、図１１（Ｃ）に示したように平面状の底面９の右側に内部補助面６６を作ることによって、弧ａが左上向きでチャック止め部分ｈが右向きで表面ｆのコーヒーフィルター１７を収納することが出来る。さらにまた、弧ａが左上向きでチャック止め部分ｈが右下向きで裏面ｇのコーヒーフィルター１７を収納することも出来る。なお、図１１（Ｃ）と同様に平面状の底面９の左側に内部補助面６６を作ることも可能である。
【００５２】
図１２（Ａ）は、第６の発明に係わる第１実施例を示す正面５から見た状態の一部破断正面図である。そして図１２（Ｂ）は、第６の発明に係わる第２実施例を示す正面５から見た上蓋３２を開いた状態の一部破断正面図である。また図１２（Ｃ）は、第６の発明に係わる第３実施例を示す正面５から見た上蓋４２を開いた状態の一部破断正面図である。図１２（Ａ）に示したように、片手で柄１４を持って連結部分１８を押し下げると取っ手１３の付いた上蓋２を開くことが出来る。そして図１２（Ｂ）に示したように、片手で柄２４を持って連結部分２８を押し上げると取っ手２３の付いた上蓋３２を閉じることが出来る。また図１２（Ｃ）に示したように、片手で柄３４を持って連結部分３８を押し上げると取っ手１３の付いた上蓋４２を閉じることが出来る。
【００５３】
同様に、図６〜図１１に示した実施例に関してもコーヒーフィルター収納容器の外側に持ち運びのための柄１４、２４、３４と、この上部に開閉のために回転を可能にする連結部分１８、２８、３８を備えた上蓋２〜１１２を設けることが出来る。なお、柄１４、２４、３４や連結部分１８、２８、３８の形状や数そしてその位置に関しては数々の変形が可能である。
【００５４】
ところで、本発明において上蓋２〜１１２やさらに収納容器の全体や一部分を透明でカラフルなスケルトン仕様にするなら、収納されているコーヒーフィルター１７の枚数をいつも容易に外部から確認することが出来る上に、インテリアに合わせてお洒落にコーディネートすることも出来るため見た目にも美しく実用的である。また、本発明の製造にはポリプロピレンやスチロール樹脂あるいはＡＳ樹脂やＡＢＳ樹脂などのあらゆる種類の合成樹脂や紙、さらに陶器やガラスや木材、またステンレス鋼などのあらゆる種類の金属を幅広く利用するなら趣を異にする製品になるであろう。
【００５５】
なお、本発明は以上述べた実施例のみに限定されるものではなく、収納容器の形状に関しては台形の他に円形や楕円形などの球体も良く、特許請求の範囲の記載内において数々の変形が可能である。
【００５６】
【発明の効果】
本発明によって、コーヒーフィルターを購入した際の合成樹脂のパッケージや紙箱の中に収納する見苦しさや不快感を解消し、美しいフォルムを持った大変便利なコーヒーフィルター収納容器を提供可能にした。そして、ほこりや虫などが入ったりする隙間がない密閉状態で保管できるため、湿度の影響を受けることやカビが付着することもなく、またコーヒーの風味を損なう他の臭いを吸収することもなくなりコーヒーフィルターを非常に衛生的に保管することが出来る。
【００５７】
また、この非常に個性的でスタイリッシュなフォルムは実用的であるばかりでなく、家庭や喫茶店あるいは職場においてインテリアとしてもモダンであり気品のある曲線美はお洒落な印象を与えるものである。そして、コーヒーフィルター収納容器としては従来にない斬新なデザインである上に、特にカラフルなスケルトンやパステルカラーに仕上げられたタイプにおいてはお部屋に潤いをもたらす一方、生活空間において多彩なコーディネートを楽しむことが出来る。
【００５８】
さらにまた、メタリックカラーに仕上げられたステンレス鋼のタイプにおいてはアール・デコ調のクラシカルな表情に加えて、ゆったりとした優美な佇まいを堪能出来る。その上、取り出し口の開口部の大きさが従来の収納容器よりも約３〜４割小型化することが出来、これにより縦型のコンパクトでスマートなデザインになった。そして、この省スペース化され機能美を持つコーヒーフィルター収納容器は、どうしても色々な台所用品で狭くなりがちな台所のテーブルの上や食器棚また茶箪笥の棚の上にすっきり収まり快適に使用することが可能である。
【００５９】
そして、本発明によって従来見られた合成樹脂のパッケージや紙箱の中に入れたままの無味乾燥な収納方法や、またゆったりとした気分に到底なれない海苔やお茶の空き缶あるいはクッキーの空き缶などへの殺伐たる収納方法を完全に払拭して、場所を選ばずどこでも自由に置いてお洒落に使用することを可能にした。
【００６０】
しかも、流線型の機能美に富む上蓋を簡単に取り外すと、スムーズにそしてスピーディーに上部の取り出し口からコーヒーフィルターを取り出したりまた収納したりすることが出来るため大変便利である。そして、コーヒーフィルターが重なった状態でもつまみ口からコーヒーフィルターの鋭角部分をつまんで１枚だけ取り出すことが大変簡単に出来るようになったため、上蓋の開閉のたびに爽やかさと優しい使用感をいつも得ることが出来る。とりわけ、台所はもとより喫茶店や職場の給湯室すなわちオフィスキッチンのシンクまわりの限られた狭いスペースに置いて快適に使用することが出来ることに加えて、コーヒーフィルターが水に濡れることを心配する必要がなくなった。
【００６１】
忙しいオフィスでの毎日を快適に過ごすためには、芳醇な香りと贅沢な味わいを持つ一杯のコーヒーでホッと肩の力を抜く時間が大切である。楽しいひとときのランチタイムに、３時のリラックスタイムに、また残業のリフレッシュタイムに一息入れてコーヒーで気分転換することは疲れた心と体を癒すものである。そのため、誰もがこのコーヒーフィルター収納容器を使うことによって一層手軽にコーヒーを入れることが出来る環境を整備すると共に、コーヒーブレイクを個性的に彩るオフィスキッチンの快適なアイテムとして十分満喫することが出来る。
【００６２】
さらに、現在一般的な１００〜１２０枚入った徳用タイプのコーヒーフィルターを購入しても、このコーヒーフィルター収納容器の中にすべて保管することが可能なためいつも余裕をもってコーヒーライフを楽しむことが出来る。そして、このコーヒーフィルター収納容器はコーヒーの旨さを引き立てると共に、家族の団らんの場にくつろぎのひとときを優雅に彩るコーヒーセットの逸品として永い愛用に応えるものである。
【００６３】
また、コーヒーフィルター収納容器の全体や一部分そして上蓋を透明なスケルトン素材などで作るなら、誰もが残りのコーヒーフィルターの枚数を常に把握し易くなり、家庭や喫茶店ではもちろんのこと多人数でコーヒーフィルターを使用する職場でも皆から非常に重宝がられるであろう。さらに、コーヒーフィルターのストックを補充する時期や購入する時期について一層判断がし易くなると共に、突然のコーヒーフィルター切れをなくすことが出来るため大変便利である。
【図面の簡単な説明】
【図１】第１の発明に係わる第１実施例を示す正面から見た斜視図（Ａ）と、第１の発明に係わる第１実施例を示す正面から見た上蓋を開いた状態の一部破断斜視図（Ｂ）である。
【図２】第１の発明に係わる第２実施例を示す正面から見た上蓋を開いた状態の一部破断斜視図（Ａ）と、第１の発明に係わる第１実施例を示す正面から見た正面図（Ｂ）である。
【図３】コーヒーフィルターが収納容器の内部に収納された時（収納容器は省略）、コーヒーフィルターの表面と裏面を重ね合わせた状態（Ａ）と、コーヒーフィルターの裏面と表面を重ね合わせた状態（Ｂ）である。
【図４】従来のコーヒーフィルター収納容器を正面から見た上蓋を開いた状態の一部破断斜視図である。
【図５】第１の発明に係わる第３実施例を示す正面から見た上蓋を開いた状態の一部破断斜視図である。
【図６】第１の発明に係わる第４実施例を示す正面から見た正面図（Ａ）と、第１の発明に係わる第４実施例を示す正面から見た一部破断正面図（Ｂ）である。そして、第１の発明に係わる第５実施例を示す正面から見た一部破断正面図（Ｃ）である。
【図７】第２の発明に係わる第１実施例を示す正面から見た正面図（Ａ）と、第２の発明に係わる第２実施例を示す正面から見た上蓋を開いた状態の一部破断正面図（Ｂ）である。そして、第２の発明に係わる第３実施例を示す正面から見た上蓋を開いた状態の一部破断正面図（Ｃ）である。
【図８】第３の発明に係わる第１実施例を示す正面から見た上蓋を開いた状態の一部破断正面図（Ａ）と、第３の発明に係わる第２実施例を示す正面から見た正面図（Ｂ）である。そして、第３の発明に係わる第３実施例を示す正面から見た上蓋を開いた状態の一部破断正面図（Ｃ）である。
【図９】第２の発明に係わる第４実施例を示す正面から見た上蓋を開いた状態の一部破断正面図（Ａ）と、第２の発明に係わる第５実施例を示す正面から見た上蓋を開いた状態の一部破断正面図（Ｂ）である。そして、第２の発明に係わる第６実施例を示す正面から見た上蓋を開いた状態の一部破断正面図（Ｃ）である。
【図１０】第４の発明に係わる第１実施例を示す正面から見た上蓋を開いた状態の一部破断正面図（Ａ）と、第４の発明に係わる第２実施例を示す正面から見た上蓋を開いた状態の一部破断正面図（Ｂ）である。そして、第４の発明に係わる第３実施例を示す正面から見た上蓋を開いた状態の一部破断正面図（Ｃ）である。
【図１１】第５の発明に係わる第１実施例を示す正面から見た上蓋を開いた状態の一部破断正面図（Ａ）と、第５の発明に係わる第２実施例を示す正面から見た上蓋を開いた状態の一部破断正面図（Ｂ）である。そして、第５の発明に係わる第３実施例を示す正面から見た上蓋を開いた状態の一部破断正面図（Ｃ）である。
【図１２】第６の発明に係わる第１実施例を示す正面から見た一部破断正面図（Ａ）と、第６の発明に係わる第２実施例を示す正面から見た上蓋を開いた状態の一部破断正面図（Ｂ）である。そして、第６の発明に係わる第３実施例を示す正面から見た上蓋を開いた状態の一部破断正面図（Ｃ）である。
【符号の説明】
１、２１、３１、４１、５１、６１、７１、８１、９１、１０１、１１１、１２１　１３１、１４１、１５１、１６１、１７１、１８１、１９１、２０１　本体
２、２２、３２、４２、５２、６２、７２、８２、９２、１０２、１１２　上蓋
３　　右側面
４　　左側面
５　　正面
６　　背面
７　　右底面
８　　左底面
９　　平面状の底面
１０、２０、３０、４０、５０、６０、７０、８０、９０、１００、１１０、１２０、１３０　　脚部
１１　　取り出し口
１２　　内部
１３、２３、３３、４３、５３、６３、７３、８３　　取っ手
１４、２４、３４　　柄
１５、２５、３５、４５、５５、６５、７５　　つまみ口
１６、２６、３６、４６、５６、６６　　内部補助面
１７　　コーヒーフィルター
１８、２８、３８　　連結部分
１９　　仕切り
ａ　　弧
ｂ　　半径
ｃ　　底辺
ｄ　　鋭角部分
ｅ　　鈍角部分
ｆ　　表面
ｇ　　裏面
ｈ　　チャック止め部分
ｉ　　従来の収納容器
ｊ　　従来の上蓋
【図１】
2004033698.tif 000003
【図２】
2004033698.tif 000004
【図３】
2004033698.tif 000005
【図４】
2004033698.tif 000006
【図５】
2004033698.tif 000007
【図６】
2004033698.tif 000008
【図７】
2004033698.tif 000009
【図８】
2004033698.tif 000010
【図９】
2004033698.tif 000011
【図１０】
2004033698.tif 000012
【図１１】
2004033698.tif 000013
【図１２】
2004033698.tif 000014